(57)【要約】      （修正有）【課題】軽量化と糸絡みの発生抑制とガイドリングの保持力の向上を図ることができる釣糸ガイドとそれを備えた釣竿を提供する。【解決手段】ガイドフレーム３は、ガイドリングの外周面全周のうち所定角度領域に当接する枠部３０と、竿体に取り付けるための取付部と、枠部３０の周方向の両端部と取付部とを連結する左右一対の支持脚部３１とを備え、ガイドフレーム３は金属線材から構成されており、ガイドフレーム３の枠部３０と両支持脚部３１との左右両境界部にはそれぞれ左右方向内側に湾曲した形状の内側湾曲部３７が形成され、前側から見た正面視において、ガイドフレーム３の内側湾曲部３７と支持脚部３１の下端部との間の区間３９ａ，３９ｂは、内側湾曲部３７と支持脚部３１の下端部とを結ぶ直線５３に対して、左右方向外側に膨らんだ形状となっている。【選択図】図１０
2019110812.tif 000002
【特許請求の範囲】
【請求項１】
釣糸を案内するためのガイドリングと、該ガイドリングを保持するためのガイドフレームとを備えた釣糸ガイドであって、
ガイドフレームは、ガイドリングの外周面全周のうち所定角度領域に当接する枠部と、竿体に取り付けるための取付部と、枠部の周方向の両端部と取付部とを連結する左右一対の支持脚部とを備え、
ガイドフレームの少なくとも枠部と左右両支持脚部の上部は一本の金属線材から構成されており、
ガイドフレームの枠部と両支持脚部との左右両境界部にはそれぞれ左右方向内側に湾曲した形状の内側湾曲部が形成され、
前側から見た正面視において、ガイドフレームの内側湾曲部と支持脚部の下端部との間の区間は、内側湾曲部と支持脚部の下端部とを結ぶ直線に対して、左右方向外側に膨らんだ形状となっていることを特徴とする釣糸ガイド。
【請求項２】
内側湾曲部と支持脚部の下端部との間の区間は、正面視において、内側湾曲部から途中の変曲点まで徐々に前記直線から左右方向外側に離れていく上部傾斜部と、変曲点から支持脚部の下端部まで徐々に前記直線に近づいて行く下部傾斜部とから構成され、変曲点は支持脚部の下端部寄りの位置に形成されている請求項１記載の釣糸ガイド。
【請求項３】
ガイドリングの外周面に周溝が形成され、該周溝にガイドフレームの枠部が係合しており、枠部によって保持されていないガイドリングの非保持領域における周溝を埋めるスペーサを備えている請求項１又は２記載の釣糸ガイド。
【請求項４】
スペーサの周方向の両端部は、ガイドフレームの左右の内側湾曲部の内側に接近し且つ離間している請求項３記載の釣糸ガイド。
【請求項５】
スペーサはガイドリングに接着固定されており、ガイドリングの周溝に係合しているスペーサの係合部のうち、前部と後部はガイドリングの周溝に当接し、前後方向中間部はガイドリングの周溝から離間していて、ガイドリングの周溝の溝底部とスペーサの係合部の前後方向中間部との間には接着溜まりが形成されている請求項４記載の釣糸ガイド。
【請求項６】
請求項１乃至５の何れかに記載の釣糸ガイドを備えていることを特徴とする釣竿。
【発明の詳細な説明】
【技術分野】
【０００１】
本発明は、釣糸を案内するための釣糸ガイドと、それを備えた釣竿に関する。
【背景技術】
【０００２】
釣糸を案内するための釣糸ガイドは、金属板を打ち抜くことによって形成されたガイドフレームと、該ガイドフレームの孔に取り付けられて釣糸を案内するガイドリングとを備えたものが一般的である。しかしながら、ガイドフレームが金属板を打ち抜いて形成されたものであるため、強度を確保しつつ軽量化を図ることには限界がある。
【０００３】
そこで、本発明者らは、ガイドフレームを金属線材から構成することを検討した（下記特許文献１参照）。
【先行技術文献】
【特許文献】
【０００４】
【特許文献１】特開２０１７−４６６４０号公報
【発明の概要】
【発明が解決しようとする課題】
【０００５】
本発明は、軽量化と糸絡みの発生抑制とガイドリングの保持力の向上を図ることができる釣糸ガイドとそれを備えた釣竿を提供することを課題とする。
【課題を解決するための手段】
【０００６】
本発明は上記課題を解決すべくなされたものであって、本発明に係る釣糸ガイドは、釣糸を案内するためのガイドリングと、該ガイドリングを保持するためのガイドフレームとを備えた釣糸ガイドであって、ガイドフレームは、ガイドリングの外周面全周のうち所定角度領域に当接する枠部と、竿体に取り付けるための取付部と、枠部の周方向の両端部と取付部とを連結する左右一対の支持脚部とを備え、ガイドフレームの少なくとも枠部と左右両支持脚部の上部は一本の金属線材から構成されており、ガイドフレームの枠部と両支持脚部との左右両境界部にはそれぞれ左右方向内側に湾曲した形状の内側湾曲部が形成され、前側から見た正面視において、ガイドフレームの内側湾曲部と支持脚部の下端部との間の区間は、内側湾曲部と支持脚部の下端部とを結ぶ直線に対して、左右方向外側に膨らんだ形状となっていることを特徴とする。尚、竿先側を前側、竿尻側を後側とする。また、取付部側を下側、ガイドリング側を上側とし、前側から見たときにおいて、上下方向と直交する方向を左右方向とする。
【０００７】
該構成の釣糸ガイドにおけるガイドフレームの枠部と両支持脚部との左右両境界部には、それぞれ左右方向内側に湾曲した形状の内側湾曲部が形成されている。即ち、ガイドフレームの枠部がガイドリングから離れる箇所において、ガイドフレームが左右方向内側に括れた形状となっている。このようにガイドリングの下側の位置においてガイドフレームに括れ部が形成されていることで、ガイドフレームの枠部によってガイドリングをしっかりと保持することができる。そして、ガイドフレームの内側湾曲部と支持脚部の下端部との間の区間において左右方向外側に膨らむ形状とすることで、内側湾曲部から支持脚部の下端部に向けて一直線状に延びる形状に比して、釣糸が支持脚部に絡みにくくなる。
【０００８】
特に、内側湾曲部と支持脚部の下端部との間の区間は、正面視において、内側湾曲部から途中の変曲点まで徐々に前記直線から左右方向外側に離れていく上部傾斜部と、変曲点から支持脚部の下端部まで徐々に前記直線に近づいて行く下部傾斜部とから構成され、変曲点は支持脚部の下端部寄りの位置に形成されていることが好ましい。膨出形状の変曲点を支持脚部の下端部寄りの位置に形成することによって、釣糸をより一層スムーズに左右方向外側に導くことができて糸絡みが発生しにくくなる。
【０００９】
また、ガイドリングの外周面に周溝が形成され、該周溝にガイドフレームの枠部が係合しており、枠部によって保持されていないガイドリングの非保持領域における周溝を埋めるスペーサを備えていることが好ましい。ガイドリングの外周面に周溝が形成されていてその周溝とガイドフレームの枠部とが係合している構成とすると、ガイドフレームの枠部によるガイドリングの保持力を大きくすることができる。一方、ガイドリングの非保持領域においてはガイドリングの周溝が露出することになるので、その周溝をスペーサで埋めることで、ガイドリングの非保持領域の外周面と釣糸との接触抵抗を減少させることができる。
【００１０】
更に、スペーサの周方向の両端部は、ガイドフレームの左右の内側湾曲部の内側に接近し且つ離間していることが好ましい。このようにスペーサの周方向の両端部がガイドフレームの左右の内側湾曲部の内側に接近した構成とすることで、ガイドリングの非保持領域における周溝の周方向の略全体をスペーサで埋めることができる。そして、スペーサの周方向の両端部がガイドフレームの左右の内側湾曲部に当接せずに離間した構成とすることで、スペーサが左右の内側湾曲部を内側から突っ張るようにして外側に向けて押すということがない。従って、ガイドフレームによってガイドリングをしっかりと保持することができる。
【００１１】
更に、スペーサはガイドリングに接着固定されており、ガイドリングの周溝に係合しているスペーサの係合部のうち、前部と後部はガイドリングの周溝に当接し、前後方向中間部はガイドリングの周溝から離間していて、ガイドリングの周溝とスペーサの係合部の前後方向中間部との間には接着溜まりが形成されていることが好ましい。上述のようにスペーサとガイドフレームの左右の内側湾曲部とが当接されていない構成ではスペーサをガイドリングにしっかりと接着固定する必要がある一方で、接着剤のはみ出しは防ぐ必要がある。そのため、ガイドリングの周溝とスペーサの係合部の前後方向中間部との間に接着溜まりを形成することで、スペーサをガイドリングに強固に接着することができ、接着剤のはみ出しも防止できる。
【００１２】
また、本発明に係る釣竿は、このような釣糸ガイドを備えたものである。
【発明の効果】
【００１３】
以上のように、ガイドフレームの枠部と支持脚部の境界部に内側湾曲部が形成され、且つ、その内側湾曲部と支持脚部の下端部との間の区間が外側に膨らんだ形状とされているので、釣糸ガイドを軽量化でき、糸絡みの発生を抑制できて、ガイドリングの保持力を向上させることができる。
【図面の簡単な説明】
【００１４】
【図１】本発明の一実施形態における釣糸ガイドを前側且つ上側から見た斜視図。
【図２】同釣糸ガイドを前側且つ下側から見た斜視図。
【図３】同釣糸ガイドを前側から見た正面図。
【図４】同釣糸ガイドを後側から見た背面図。
【図５】同釣糸ガイドを下側から見た底面図。
【図６】図３のＡ−Ａ断面図。
【図７】図６の要部拡大図。
【図８】同釣糸ガイドのガイドリングの製造工程を示す図であって、（ａ）は正面図、（ｂ）は断面図。
【図９】（ａ）及び（ｂ）は同釣糸ガイドのガイドリングの製造工程を示す断面図。
【図１０】同釣糸ガイドのガイドフレームの中空体を示す正面図。
【図１１】同釣糸ガイドのスペーサであって、（ａ）は正面図、（ｂ）はＢ−Ｂ断面図。
【発明を実施するための形態】
【００１５】
以下、本発明の一実施形態に係る釣糸ガイドについて図１〜図１１を参酌しつつ説明する。本実施形態における釣糸ガイドは、図１〜図７のように、釣糸を直接案内するためのガイドリング２と、該ガイドリング２を保持すると共にガイドリング２と竿体５とを繋ぐためのガイドフレーム３と、該ガイドリング２の周溝を埋めるためのスペーサ４とを備えている。
【００１６】
図中、竿体５の軸線方向を前後方向と称すると共に、竿先側（前側）を符号Ｘ１で示し、竿尻側（後側）を符号Ｘ２で示す。また、竿体５の軸線方向と直交する方向であってガイドリング２の中心線５０を通る平面上の方向を上下方向とし、竿体５から離れる方向を上側として符号Ｚ１で示し、竿体５に近づく方向を下側として符号Ｚ２で示す。尚、上側は釣糸ガイドの先端側であり、下側は釣糸ガイドの基端側である。また、上側から見た平面視において竿体５の軸線方向と直交する方向を左右方向とし、それを符号Ｙで示す。尚、竿体５の軸線方向（前後方向）は竿体５の中心線の方向であって、後述するガイドフレーム３の取付部３２の長手方向であり、左右方向は取付部３２の短手方向（幅方向）である。
【００１７】
＜ガイドリング２＞
ガイドリング２は、図１に示すように円形の環状であるが、楕円形や長円形等であってもよい。ガイドリング２は耐摩耗性に優れた、種々の硬質材料からなり、例えばＳｉＣ（シリコンカーバイト）に代表されるセラミックであっても無論よいが、本実施形態ではチタンからなる。チタンとしてはチタン合金が好ましい。チタン合金は、α相とβ相が混在しているものであって、主としてα相であって一部にβ相が残留したニアα型（少量のβ安定化元素を添加したα合金）、α＋β型、β型が好適である。特にβ型のチタン合金であることが好ましく、冷間加工性が良く、部材の強度も容易に確保できる。ニアα型としては、例えば、Ｔｉ−８Ａｌ−１Ｍｏ−１ＶやＴｉ−６Ａｌ−２Ｎｂ−１Ｔａ−０．８Ｍｏ等である。α＋β型は、ニアα型よりも多量のβ相が残留しており、例えば、Ｔｉ−３Ａｌ−２．５ＶやＴｉ−６Ａｌ−４Ｖ等である。β型は、準安定β型とも称されるものであって、α＋β型に比してβ安定化元素が多く、α安定化元素が少ない。β型では、残留β相中に微細な粒でα相が分散して生成しており、従って、β型においてもその表面にはα相とβ相とがまだら模様となって存在している。β型としては、例えば、Ｔｉ−１５Ｖ−３Ｃｒ−３Ｓｎ−３Ａｌや、Ｔｉ−３Ａｌ−８Ｖ−６Ｃｒ−４Ｚｒ−４Ｍｏや、Ｔｉ−１０Ｖ−２Ｆｅ−３Ａｌ等があるが、特に、冷間加工性に優れていることからＴｉ−１５Ｖ−３Ｃｒ−３Ｓｎ−３Ａｌが好ましい。
【００１８】
ガイドリング２は、釣糸が挿通する糸挿通孔を有しており、ガイドリング２の内周面２ａを釣糸が摺動することで釣糸を直接案内する。図６、図７及び図９（ｂ）に示しているように、ガイドリング２の内周面２ａは、断面視において、内側凸（中心側凸）となるように前後方向に湾曲した曲面である、また、ガイドリング２の外周面２ｂも断面視において内側凸（中心側凸）となるように前後方向に湾曲した曲面である。即ち、ガイドリング２は、中心線５０の方向に切断した断面視において、中心側凸となるように弧状に湾曲した凸状の内周面２ａと、中心側凸となるように弧状に湾曲した凹状の外周面２ｂとを有している。ガイドリング２の内周面２ａと外周面２ｂは互いに対応した形状となっている。また、ガイドリング２は曲げ加工された薄肉の金属板からなり、その金属板の表面と裏面がそれぞれ内周面２ａと外周面２ｂになっている。
【００１９】
詳細には、ガイドリング２は、薄肉の金属板が中心側凸となるように弧状に湾曲していることから、その中心線５０の方向の両端部２２，２３、即ち、前後両端部２２，２３がそれぞれ径方向外側に環状に突出している。そのため、ガイドリング２の外周面２ｂには、前後両端部２２，２３間に断面視円弧状の周溝２０が全周に亘って形成されている。前後両端部２２，２３の直径は何れもガイドフレーム３の枠部３０の内径（枠部３０の内周面のうち最も小径の部分である頂点における直径）よりも大きい。前後両端部２２，２３の直径は互いに同一であってもよいが、一方の直径が他方の直径よりも小さいことが好ましく、本実施形態では、前端部２２の直径が後端部２３の直径よりも小さい。
【００２０】
後述するように、ガイドリング２の外周面２ｂの周溝２０にはガイドフレーム３の枠部３０とスペーサ４が係合する。ガイドフレーム３は断面円形の金属線材からなり、その円形断面の全周のうち１８０度を越える角度範囲がガイドリング２の外周面２ｂの周溝２０に係合する。尚、図９（ｂ）のように、ガイドリング２の径方向の厚さＧ１は、ガイドリング２の中心線５０の方向に沿った寸法Ｇ２（長さ）よりも小さい。
【００２１】
ガイドリング２は、金属板を所定形状にプレス加工することにより形成されている。図８のように例えばチタン合金からなる金属板をドーナツ状に打ち抜き、この打ち抜いたドーナツ状の金属板２１を図９（ａ）のように表面と裏面のうち一方の面側から矢印で示すようにプレス加工して筒状に変形させると共に、筒状となった金属板２１の一端部を径方向外側に鍔状に湾曲させて端部２３を形成する。次に、図９（ｂ）のように反対側である他方の面側から矢印で示すように筒状の金属板２１を更にプレス加工してその他端部も一端部と同様に径方向外側に鍔状に湾曲させて端部２２を形成し、筒状の金属板２１の断面形状を全体として中心側凸に湾曲した断面視弧状の断面形状としてガイドリング２を形成する。
【００２２】
尚、金属板２１の他端部の湾曲の大きさは一端部のそれに比して小さく、即ち、ガイドリング２の他端部の湾曲の大きさは一端部のそれよりも小さい。従って、ガイドリング２の外径は他端部よりも一端部の方が大きい。このようにして形成されたガイドリング２の両端部２２，２３はそれぞれ径方向外側に突出した環状の端部となり、その両端部２２，２３の間が周溝２０となって、その周溝２０にガイドフレーム３やスペーサ４が係合する。
【００２３】
尚、ガイドリング２の外周面２ｂとガイドフレーム３の枠部３０とは径方向に切断した断面視において面接触してもよいが、点接触してもよい。ガイドフレーム３は円形断面を有する金属線材であるが、ガイドリング２の外周面２ｂとガイドフレーム３とが点接触する場合、一点ではなく前後（金属線材の円形断面の周方向）に間隔をあけて複数点で接触する構成とすることが好ましく、二点あるいは三点で接触することがより好ましい。
【００２４】
＜ガイドフレーム３＞
ガイドフレーム３は、竿体５の外周面に取り付けるための取付部３２と、該取付部３２の前端部から上側に向かって即ち竿体５から径方向外側に離れるように立ち上がって、竿体５から所定距離離れた位置でガイドリング２を保持するフレーム本体部とを備えている。フレーム本体部は、上側の枠部３０と下側の支持脚部３１とからなり、枠部３０はガイドリング２を保持し、支持脚部３１は枠部３０と取付部３２とを連結する。
【００２５】
ガイドフレーム３は、少なくとも枠部３０と支持脚部３１の上部が金属線材から構成され、枠部３０と支持脚部３１の上部は一本の金属線材から構成されている。本実施形態では、ガイドフレーム３の全体が金属線材から構成されている。ガイドフレーム３は中空部と中実部とから構成されている。ガイドフレーム３は二つの部材から構成されており、中空状の金属線材からなる中空体３４と中実状の金属線材からなる中実体３５とが接合一体化されて構成されている。即ち、ガイドフレーム３は、中空体３４と中実体３５とが互いに接合されて一体化されたハイブリッド構成となっている。中空体３４は一本の中空状の金属線材から構成され、中実体３５は一本の中実状の金属線材から構成されている。中空状の金属線材の両端部３４ａと中実状の金属線材の両端部３５ａとがそれぞれ所定長さに亘って接合されて一体化されてガイドフレーム３が構成されている。従って、ガイドフレーム３は、二本の金属線材から構成されていて、全体として無端状となっている。
【００２６】
ガイドフレーム３は、二本の金属線材の両端部３４ａ，３５ａ同士がそれぞれ接合されており、左右二箇所の線材接合部３６を有している。中実状の金属線材は中空状の金属線材の内径に対応した外径を有しており、中実状の金属線材の両端部３５ａが中空状の金属線材の両端部３４ａに挿入されて接合されている。接合方法は接着であってもよいし溶接であってもよい。線材接合部３６は、取付部３２とフレーム本体部との境界部３３よりも上側に位置しており、従って、線材接合部３６は取付部３２と支持脚部３１の境界部３３よりも上側に位置している。線材接合部３６は支持脚部３１のうちの特に下部に設けられるが、本実施形態では線材接合部３６は支持脚部３１の最下部に位置している。中空状の金属線材の両端部３４ａの内側に中実状の金属線材の両端部３５ａが所定の長さに亘って挿入されることにより、所定長さの線材接合部３６が形成されている。
【００２７】
図６のように、フレーム本体部は取付部３２に対して上側に所定角度で立ち上がっている。ガイドリング２の中心線５０は、竿体５の中心線と平行であってもよいし、竿体５の中心線と平行ではなく前側に傾倒していてもよい。従って、フレーム本体部は取付部３２に対して上側に直角に立ち上がっていてもよいし、前傾姿勢で立ち上がっていてもよい。本実施形態ではガイドリング２の中心線５０は竿体５の中心線と平行ではなく前側に若干傾倒しており、従って、フレーム本体部は若干前傾姿勢となるように立ち上がっている。尚、図３、図４及び図１０は、ガイドリング２の中心線５０の方向から見ている。
【００２８】
ガイドフレーム３のうち、取付部３２の全体と、取付部３２とフレーム本体部との境界部３３は中実体３５のみから構成されている。フレーム本体部のうち最下部を除く大部分が中空体３４のみから構成されており、フレーム本体部の最下部は中実体３５と中空体３４とにより形成された線材接合部３６から構成されている。中空体３４の単体を図１０に示している。中空体３４は、枠部３０と左右一対の支持脚部３１の略全体を構成すべく、一本の中空状の金属線材がＵ字状に曲げられて形成されており、中空状の金属線材の両端部３４ａが左右に並んでいて互いに当接あるいは近接した状態となっている。左右の支持脚部３１はその下端部において互いに左右方向に最も接近していてその箇所が最接近点となっている。本実施形態では支持脚部３１の下端部同士は当接あるいは僅かな隙間を介して近接している。図１０の符号Ｐは、左右の支持脚部３１の下端部同士が当接あるいは近接した点であり、少なくとも最接近した点であって、この点Ｐを以下単に最接近点Ｐと称する。尚、中実体３５の詳細については後述する。
【００２９】
金属線材は、例えばチタン合金やステンレス、アルミニウム合金からなる。その中でも特に軽量化の観点からはチタン合金が好ましい。チタン合金の詳細についてはガイドリング２と同様であり、冷間加工性が良く、部材の強度も容易に確保できることから、β型のチタン合金が好ましい。尚、中空状の金属線材と中実状の金属線材とは、互いに異なる材質であってもよいし、同じ材質であってもよく、一例としては、何れもβ型のチタン合金として軽量化を図ることができる。金属線材は、円形の断面形状を有している。中空状の金属線材の外径、即ち、金属線材の線径は例えば０．３〜６ｍｍ、好ましくは１〜３ｍｍである。中実状の金属線材の外径は、上述したように中空状の金属線材の内径に対応したものが好ましい。
【００３０】
＜枠部３０＞
枠部３０は、その内側にガイドリング２を保持するための部分であってフレーム本体部の先端側の領域を構成しており、所定の中心角θを有する円弧状に形成されている。枠部３０は、中空状の金属線材をガイドリング２の外周面に沿って曲げ加工することによって下側に開口したＣ字状に形成されており、従って、枠部３０は、その全体が中空状である。枠部３０はガイドリング２に対応したサイズ、形状となっている。枠部３０は、ガイドリング２の全周のうち所定角度範囲のみに当接して、その所定角度範囲のみでガイドリング２の外周面を支持する。枠部３０はガイドリング２の所定角度範囲を周回して保持するがその中心角θは１８０度を越えている。
【００３１】
図１０に、枠部３０の内周面を延長した仮想円５２を二点鎖線で示している。この仮想円５２は、枠部３０の内周面を周方向に３６０度まで延長し、その３６０度の内周面をガイドリング２の中心線５０の方向に見たときの円である。この仮想円５２の直径が枠部３０の内径（枠部３０の内周面のうち最も小径の部分である頂点における直径）である。正面から見て、支持脚部３１の下端部同士が当接した最接近点Ｐから仮想円５２に向けて接線を左右それぞれ引いたとき、二本の接線が仮想円５２と接する接点を符号５４で示している。枠部３０の中心角θは、接点５４間の上側の中心角αよりも大きい。最接近点Ｐにおいて当接していない場合には左右に離間した左右それぞれの最接近点Ｐから接線を引く。
【００３２】
＜支持脚部３１＞
支持脚部３１は、枠部３０と取付部３２との間に位置して枠部３０と取付部３２とを連結している。支持脚部３１は、正面視において左右に二本並んだ二本足の構成であって左右対称形状とされており、枠部３０の両端部から下方に向けてそれぞれ延びている。左右の支持脚部３１はその下端部において互いに最接近していて本実施形態では当接しており、その最接近点Ｐから枠部３０の両端部に向けて徐々に左右に広がりながら離間していく。従って、左右の支持脚部３１は正面視において全体としてはＶ字状となっている。左右一対の支持脚部３１の上端部における左右方向の離間距離は、仮想円５２の直径よりも小さい。
【００３３】
枠部３０の両端部と左右の支持脚部３１との間にはそれぞれ左右方向内側に向けて湾曲した内側湾曲部３７が形成されている。そして、前側から見た正面視において、ガイドフレーム３の内側湾曲部３７から支持脚部３１の下端部までの区間は、左右方向外側に膨らんだ形状となっている。図１０に、内側湾曲部３７の内面頂部と支持脚部３１の下端部の最接近点Ｐとを結ぶ仮想直線５３を左右それぞれ二点鎖線で示している。ガイドフレーム３の内側湾曲部３７から支持脚部３１の下端部までの区間は、この仮想直線５３に対して左右方向外側に向けて膨出した形状となっている。最接近点Ｐにおいて当接していない場合には左右に離間した左右それぞれの最接近点Ｐと内側湾曲部３７の内面頂部とを結ぶ仮想直線５３とする。
【００３４】
詳細には、内側湾曲部３７から支持脚部３１の下端部までの区間は、正面視において、内側湾曲部３７から途中の変曲点３８まで徐々に仮想直線５３から左右方向外側に離れていき、その後、変曲点３８から支持脚部３１の下端部まで徐々に仮想直線５３に近づいて行く。従って、内側湾曲部３７から支持脚部３１の下端部までの区間は、内側湾曲部３７から変曲点３８までの上部傾斜部３９ａと、変曲点３８から支持脚部３１の下端部までの下部傾斜部３９ｂとから構成されている。変曲点３８の近傍は左右方向外側に湾曲した形状である。正面視において上部傾斜部３９ａは直線状に延びている。また、下部傾斜部３９ｂも正面視において直線状に延びている。変曲点３８は支持脚部３１の下端部寄りの位置にある。即ち、変曲点３８は、内側湾曲部３７から支持脚部３１の下端部までの区間のうち、下側半分の区間に位置している。正面視において、ガイドフレーム３の上下方向に延びる中心線に対する上部傾斜部３９ａの傾斜角度は、ガイドフレーム３の上下方向に延びる中心線に対する下部傾斜部３９ｂの傾斜角度よりも小さい。従って、左右の支持脚部３１の左右の広がりの程度は、下部傾斜部３９ｂの区間において相対的に急であり、上部傾斜部３９ａの区間において相対的に緩やかである。
【００３５】
＜取付部３２＞
中実体３５は、一本の中実状の金属線材から構成されている。一本の中実状の金属線材は中間地点において左右に二つ折りに折り返されていて、その折り返し部が後端部に位置し、中実状の金属線材の両端部３５ａは前側且つ上側を向いている。従って、中実体３５は二つ折り状態の左右一対の線状部からなる。一本の中実状の金属線材は取付部３２の後端部において左右に二つ折りに折り返されている。取付部３２において左右一対の線状部は左右平行に並んでいて、本実施形態では互いに当接している。但し、取付部３２において左右一対の線状部が互いに僅かに左右に離間していてもよい。左右一対の線状部は、フレーム本体部と取付部３２との境界部３３から左右にＶ字状に開きながら上側且つ前側に傾斜しつつ所定長さ延びている。即ち、中実体３５は、左右一対の線状部が並列状態とされた並列部と、該並列部の前端部から上側にＶ字状に開きつつ延びる上方延伸部とから構成されており、並列部が取付部３２となり、上方延伸部の少なくとも上部が中空体３４の両端部３４ａに挿入されて線材接合部３６を形成するための左右一対の接合用挿入部となっている。尚、本実施形態では上方延伸部の略全体が左右一対の接合用挿入部となっていて中空体３４の両端部３４ａに挿入される。尚、取付部３２の下面の略全長には、竿体５の外周面に沿うように左右方向に沿って上側凸に湾曲した図示しない凹面部が形成されていることが好ましい。
【００３６】
＜スペーサ４＞
上述のように、枠部３０は下方に開口したＣ字状である。枠部３０は、ガイドリング２の外周面２ｂの全周のうち上側の所定角度領域のみに当接して支持している。従って、ガイドリング２の外周面２ｂのうち下側の所定角度領域はガイドフレーム３には当接していない。この下側の所定角度領域が、ガイドリング２が枠部３０によって保持されていない非保持領域であり、ガイドリング２の全周のうちガイドフレーム３の枠部３０が周回していない非周回部分である。非保持領域にスペーサ４が設けられている。
【００３７】
スペーサ４の単体の状態を図１１に示している。図１１（ａ）のように、スペーサ４の内面４０は、ガイドリング２の外周面２ｂに対応した半径を有し、非保持領域に対応した中心角を有する円弧状の棒状体である。図１１（ｂ）のように、スペーサ４の内面４０はガイドリング２の中心線５０の方向に沿っていて、スペーサ４の外面４１もガイドリング２の中心線５０の方向に沿っており、内面４０と外面４１は互いに平行である。スペーサ４の前後の側面４２は前側及び後側に膨出湾曲している。
【００３８】
図７のように、スペーサ４は、ガイドリング２の非保持領域の周溝２０を埋めるように、ガイドリング２の非保持領域の周溝２０に係合している。また、スペーサ４はガイドリング２に接着されている。尚、スペーサ４はガイドリング２の前後両端部２２，２３よりも径方向外側に僅かにはみ出す。そのはみ出し量は、図３のように前側において相対的に大きく、図４のように後側において相対的に小さい。ガイドリング２の非保持領域の周溝２０に係合しているスペーサ４の部分が係合部である。スペーサ４の係合部は、前部と後部と前後方向中間部とから構成されており、前部と後部は断面円弧状であり、前後方向中間部は断面直線状である。スペーサ４の内面４０が係合部の前後方向中間部を構成し、スペーサ４の前後両側面４２のうちの内側部分が係合部の前部と後部を構成している。スペーサ４の前後両側面４２のうちの内側部分はガイドリング２の周溝２０に当接している。スペーサ４の内面４０はガイドリング２の周溝２０から径方向外側に離間しており、ガイドリング２の周溝２０とスペーサ４の内面４０との間には周方向に延びる筋状の空隙である接着溜まり４３が形成されている。接着溜まり４３は、スペーサ４の周方向の全長に亘って形成される。この接着溜まり４３に、スペーサ４をガイドリング２に接着するための接着剤を溜めることができる。
【００３９】
図１１（ａ）のように、スペーサ４のの周方向両端部４ａの前後両側面４２にはそれぞれ切欠部４４が形成されており、該切欠部４４も接着溜まりとなる。スペーサ４の周方向両端部４ａは、ガイドフレーム３の左右の内側湾曲部３７には当接しておらず僅かに離間するように近接している。スペーサ４の周方向両端部４ａとガイドフレーム３の左右の内側湾曲部３７との間の離間距離は僅かであってそれぞれ好ましくは１ｍｍ以下、より好ましくはそれぞれ０．５ｍｍ以下とされる。
【００４０】
スペーサ４の材質は、比重の小さいものが好ましく、例えば、硬質樹脂や繊維強化樹脂とすることができ、射出成形により形成できる。繊維強化樹脂とする場合、特にカーボン繊維を強化繊維とすることが好ましい。尚、スペーサ４を、ガイドフレーム３やガイドリング２と同様にチタン合金等の金属製としてもよい。
【００４１】
以上のように構成された釣糸ガイドは、ガイドリング２にスペーサ４を接着し、そのスペーサ４付きのガイドリング２をガイドフレーム３に後側から前側に向けて押し込むように装着して製造される。そして、釣糸ガイドは、釣竿の竿体５の外周面に取り付けられる。竿体５の上に釣糸ガイドの取付部３２を載置し、取付部３２と竿体５とに亘って図示しない巻糸を巻き付けて釣糸ガイドを竿体５に緊縛する。更に、接着性のある合成樹脂（接着剤）を巻糸の巻き付け部分に塗布して固める。
【００４２】
以上のように構成された釣糸ガイドにあっては、ガイドフレーム３の枠部３０と支持脚部３１の境界部に内側湾曲部３７が形成されているので、ガイドフレーム３の枠部３０でガイドリング２をしっかりと保持することができる。特に、枠部３０の中心角が１８０度を越えているので、大きな保持力が得られ、ガイドリング２のガイドフレーム３からの抜け落ちを防止できる。また、内側湾曲部３７と支持脚部３１の下端部との間の区間が外側に膨らんだ形状となっているので、ガイドフレーム３の支持脚部３１に釣糸が絡む糸絡みの発生を防止することができる。特に、外側に膨出した変曲点３８が支持脚部３１の下端部寄りに位置しているので、ガイドフレーム３の支持脚部３１の下部外面に接触する釣糸をスムーズに左右方向外側に導きつつ上側に逃がすことができて、糸絡みが発生しにくくなる。
【００４３】
更に、左右に内側湾曲部３７を形成することでガイドリング２の非保持領域を小さくすることができ、スペーサ４を使用する構成であってもそのスペーサ４の中心角を小さくすることができ、スペーサ４を小型軽量化できる。従って、釣糸ガイドを全体として軽量化することができる。
【００４４】
また、スペーサ４がガイドリング２の非保持領域における周溝２０を埋めているので、ガイドリング２の外周面２ｂの露出部分を減少させることができる。そして、ガイドリング２の非保持領域の周溝２０がスペーサ４によって埋められることで、ガイドリング２の非保持領域の外周面２ｂと釣糸との接触抵抗を減少させることができる。特に、スペーサ４がガイドリング２よりも径方向外側にはみ出しているので、釣糸がガイドリング２の前後両端部２２，２３に接触しにくくなる。また、スペーサ４がガイドリング２よりも径方向外側にはみ出していても、そのはみ出し量は少なく周方向に筋状に延びる程度である。従って、釣糸ガイドを前側あるいは後側から見たとき、スペーサ４の露出部分は非常に少なく、スペーサ４が目立たない。そのため、ガイドリング２のみが存在しているような外観が得られる。
【００４５】
また、スペーサ４が左右の支持脚部３１を連結する構成ではなく、スペーサ４の周方向の両端部４ａはガイドフレーム３の左右の内側湾曲部３７の内側に接近しているものの離間している。スペーサ４の周方向の両端部４ａがガイドフレーム３の左右の内側湾曲部３７の内側に接近しているので、ガイドリング２の非保持領域における周溝２０の周方向の略全体をスペーサ４で埋めることができる。一方、スペーサ４の周方向の両端部４ａがガイドフレーム３の左右の内側湾曲部３７から内側に僅かに離間しているので、スペーサ４が左右の内側湾曲部３７を内側から突っ張るように外側に向けて押すということがない。従って、ガイドフレーム３の枠部３０によってガイドリング２を左右から狭持するようにして確実に保持することができる。
【００４６】
一方、ガイドリング２の周溝２０とスペーサ４の内面４０との間に、スペーサ４の周方向の全長に亘って延びる筋状の接着溜まり４３が形成されているので、その接着溜まり４３によってスペーサ４をガイドリング２に強固に接着することができる。また、接着剤のはみ出しも防止できる。尚、スペーサ４の周方向両端部４ａにも切欠部４４が形成されていてその切欠部４４を接着溜まりとして使用することができるので、スペーサ４の周方向両端部４ａをガイドリング２あるいは枠部３０に確実に接着固定でき、スペーサ４の周方向両端部４ａにおける接着剤のはみ出しも防止できる。
【００４７】
尚、本実施形態ではスペーサ４を用いたが、スペーサ４を使用しなくてもよい。例えば、ガイドリング２の非保持領域における周溝２０を充填材で埋めてもよい。充填材として樹脂を用いてそれを周溝２０に流し入れて硬化させてもよい。
【００４８】
また、ガイドフレーム３が中空体３４と中実体３５とからなるハイブリッド構成であったが、ガイドフレーム３が中空体３４のみからなる構成であったり、ガイドフレーム３が中実体３５のみからなる構成であったりしてもよい。即ち、ガイドフレーム３の全体が中空状の金属線材から構成されていてもよいし、ガイドフレーム３の全体が中実状の金属線材から構成されていてもよい。また、ガイドフレーム３の一部が金属線材以外の構成であってもよい。
【符号の説明】
【００４９】
２    ガイドリング
２ａ  内周面
２ｂ  外周面
３    ガイドフレーム
４    スペーサ
４ａ  周方向の端部
５    竿体
２０    周溝
２１    金属板
２２    前端部
２３    後端部
３０    枠部
３１    支持脚部
３２    取付部
３３    境界部
３４    中空体
３４ａ  端部
３５    中実体
３５ａ  端部
３６    線材接合部
３７    内側湾曲部
３８    変曲点
３９ａ  上部傾斜部
３９ｂ  下部傾斜部
４０    内面（係合部の前後方向中間部）
４１    外面
４２    側面（係合部の前部と後部）
４３    接着溜まり
４４    切欠部
５０    ガイドリングの中心線
５２    枠部の内周面の仮想円
５３    仮想直線
５４    仮想直線が仮想円と接する接点
Ｐ    最接近点
θ    枠部の中心角
【図１】
2019110812.tif 000003
【図２】
2019110812.tif 000004
【図３】
2019110812.tif 000005
【図４】
2019110812.tif 000006
【図５】
2019110812.tif 000007
【図６】
2019110812.tif 000008
【図７】
2019110812.tif 000009
【図８】
2019110812.tif 000010
【図９】
2019110812.tif 000011
【図１０】
2019110812.tif 000012
【図１１】
2019110812.tif 000013